(57)【要約】【課題】ユーザにとって容易に画質処理レベルを切り替えることができる画像処理装置、および画像処理方法を提供する。【解決手段】第１解像度の映像信号に対する鮮鋭化処理を含む画質処理の強さを示す画質処理レベルと映像モードとを対応付けて記憶するレベル記憶手段と、ユーザの操作により、映像モードの指定を受け付ける指定受付手段と、指定された映像モードと対応する画質処理レベルに切り替える切替手段と、切り替えられた画質処理レベルの画質処理を行う画質処理手段と、を備え、レベル記憶手段は、複数の映像モードを記憶し、記憶した複数の映像モードのそれぞれにおいて、複数の画質処理レベルを記憶し、指定受付手段は、ユーザの操作により、複数の画質処理レベルの中からいずれか一のレベルの指定を受け付け、切替手段は、複数の画質処理レベルの中から指定されたレベルであって、指定された映像モードと対応する画質処理レベルに切り替える。【選択図】図１
2010074862.tif 000002
【特許請求の範囲】
【請求項１】
第１解像度の映像信号が入力され、
前記第１解像度の映像信号に対する鮮鋭化処理を含む画質処理の強さを示す画質処理レベルと映像モードとを対応付けて記憶するレベル記憶手段と、
ユーザの操作により、前記映像モードの指定を受け付ける指定受付手段と、
前記指定された映像モードと対応する画質処理レベルに切り替える切替手段と、
前記切り替えられた画質処理レベルの前記画質処理を行う画質処理手段と、
を備え、
前記レベル記憶手段は、複数の前記映像モードを記憶し、記憶した複数の前記映像モードのそれぞれにおいて、複数の前記画質処理レベルを記憶し、
前記指定受付手段は、ユーザの操作により、複数の前記画質処理レベルの中からいずれか一のレベルの指定を受け付け、
前記切替手段は、複数の前記画質処理レベルの中から指定されたレベルであって、前記指定された映像モードと対応する画質処理レベルに切り替えることを特徴とする画像処理装置。
【請求項２】
前記画質処理は、前記第１解像度よりも高い第２解像度の映像信号を生成する解像度変換処理を含み、
前記切替手段は、複数の解像度変換処理レベルの中から指定されたレベルであって、前記指定された映像モードと対応するレベルに切り替えることを特徴とする請求項１に記載の画像処理装置。
【請求項３】
前記解像度変換処理は、超解像度技術を用いて前記第１解像度よりも高い第２解像度の映像信号を生成する超解像処理を含むことを特徴とする請求項２に記載の画像処理装置。
【請求項４】
前記解像度変換処理レベルは、前記超解像処理における挿入対象となる画素に対する高周波成分の画素の割合を示す、
ことを特徴とする請求項３に記載の画像処理装置。
【請求項５】
前記レベル記憶手段は、前記超解像処理が強くなるにつれて、前記第２解像度の映像信号の出力が高い周波数となるように、前記映像モードと前記解像度変換処理レベルとを対応づけて記憶する、
ことを特徴とする請求項３または請求項４に記載の画像処理装置。
【請求項６】
前記第２解像度の映像信号を表示する表示手段、
をさらに備えたことを特徴とする請求項２乃至請求項５のいずれか一項に記載の画像処理装置。
【請求項７】
前記映像モードと前記画質処理レベルを前記表示手段にＯＳＤ（On  Screen  Display）表示させる表示制御手段、
をさらに備えたことを特徴とする請求項６に記載の画像処理装置。
【請求項８】
第１解像度の映像信号が入力され、前記第１解像度の映像信号に対する鮮鋭化処理を含む画質処理の強さを示す画質処理レベルと映像モードとを対応付けて記憶するレベル記憶手段を備え、前記レベル記憶手段は、複数の前記映像モードを記憶し、記憶した複数の前記映像モードのそれぞれにおいて、複数の前記画質処理レベルを記憶する画像処理装置で行われる画像処理方法であって、
指定受付手段が、ユーザの操作により、前記映像モードの指定を受け付ける指定受付ステップと、
切替手段が、前記指定された映像モードと対応する画質処理レベルに切り替える切替ステップと、
画質処理手段が、前記切り替えられた画質処理レベルの前記画質処理を行う画質処理ステップと、
を含み、
前記指定受付ステップは、ユーザの操作により、複数の前記画質処理レベルの中からいずれか一のレベルの指定を受け付け、
前記切替ステップは、複数の前記画質処理レベルの中から指定されたレベルであって、前記指定された映像モードと対応する画質処理レベルに切り替えることを特徴とする画像処理方法。
【請求項９】
前記画質処理は、前記第１解像度よりも高い第２解像度の映像信号を生成する解像度変換処理を含み、
前記切替ステップでは、複数の解像度変換処理レベルの中から指定されたレベルであって、前記指定された映像モードと対応するレベルに切り替えることを特徴とする請求項８に記載の画像処理方法。
【請求項１０】
前記解像度変換処理は、超解像度技術を用いて前記第１解像度よりも高い第２解像度の映像信号を生成する超解像処理を含むことを特徴とする請求項９に記載の画像処理方法。
【発明の詳細な説明】
【技術分野】
【０００１】
本発明は、映像を高解像度化する技術に関し、特に、高解像度のレベルの切り替えが可能な画像処理装置、および画像処理方法に関するものである。
【背景技術】
【０００２】
近年、ＰＣ（Personal  Computer）とテレビジョンの融合が進み、ＳＤ（Standard  Definition）サイズを超えた、ハイビジョン放送等のいわゆるＨＤ(High  Definition)サイズの高解像度のディスプレイで様々な映像を視聴する機会が増えている。
【０００３】
しかし、ＳＤテレビ放送される映像、あるいはＤＶＤに記録された映像等は解像度が低く、ユーザがＨＤサイズ（特に、１９２０×１０８０のいわゆるフルＨＤサイズ）の映像を視聴する場合には、その映像の画像を高解像度に変換する必要がある。この点、従来から、画像の画素値を線形内挿や３次畳み込み内挿することによって、画像を高解像度化することが行われていたが、鮮鋭な画像が得られないという問題があった。
【０００４】
そこで、このような問題を解決するために、画像を伸張すると同時に、当該伸張処理により生じた画像の画素と画素の間に高い周波数成分の画素を補間して、鮮鋭な高解像度の画像を得ることができる超解像度化技術の研究が行われている（例えば、特許文献１、特許文献２）。
【先行技術文献】
【特許文献】
【０００５】
【特許文献１】特開２００８−０６７１１０号公報
【特許文献２】特開２００８−１４６１９０号公報
【発明の概要】
【発明が解決しようとする課題】
【０００６】
超解像度化技術によれば、映像の鮮鋭感が増すので、シャープな映像・クリアな映像をユーザは楽しむことができる。しかしながら、上述した映像は、ＢＳ（Broadcasting  Satellite）放送、ＣＳ（Communications  Satellite）放送、あるいは地上波デジタル放送、地上波アナログ放送やインターネット等の様々な手段で提供され、提供される映像の情報量も多岐に亘る。従って、提供される映像に応じて超解像度処理の強さを示すレベル（以下、超解像レベルと呼ぶ。）を切り替えることによって、ユーザはより鮮明な映像を楽しむことができるが、その切り替えはユーザにとって複雑であり、煩雑な操作を行わなければならないという問題があった。
【０００７】
本発明は、上記に鑑みてなされたものであって、ユーザにとって容易に画質処理レベルを切り替えることができる画像処理装置、画像処理方法を提供することを目的とする。
【課題を解決するための手段】
【０００８】
上述した課題を解決し、目的を達成するために、本発明にかかる画像処理装置は、第１解像度の映像信号が入力され、前記第１解像度の映像信号に対する鮮鋭化処理を含む画質処理の強さを示す画質処理レベルと映像モードとを対応付けて記憶するレベル記憶手段と、ユーザの操作により、前記映像モードの指定を受け付ける指定受付手段と、前記指定された映像モードと対応する画質処理レベルに切り替える切替手段と、前記切り替えられた画質処理レベルの前記画質処理を行う画質処理手段と、を備え、前記レベル記憶手段は、複数の前記映像モードを記憶し、記憶した複数の前記映像モードのそれぞれにおいて、複数の前記画質処理レベルを記憶し、前記指定受付手段は、ユーザの操作により、複数の前記画質処理レベルの中からいずれか一のレベルの指定を受け付け、前記切替手段は、複数の前記画質処理レベルの中から指定されたレベルであって、前記指定された映像モードと対応する画質処理レベルに切り替えることを特徴とする。
【０００９】
また、本発明にかかる画像処理方法は、第１解像度の映像信号が入力され、前記第１解像度の映像信号に対する鮮鋭化処理を含む画質処理の強さを示す画質処理レベルと映像モードとを対応付けて記憶するレベル記憶手段を備え、前記レベル記憶手段は、複数の前記映像モードを記憶し、記憶した複数の前記映像モードのそれぞれにおいて、複数の前記画質処理レベルを記憶する画像処理装置で行われる画像処理方法であって、指定受付手段が、ユーザの操作により、前記映像モードの指定を受け付ける指定受付ステップと、切替手段が、前記指定された映像モードと対応する画質処理レベルに切り替える切替ステップと、画質処理手段が、前記切り替えられた画質処理レベルの前記画質処理を行う画質処理ステップと、を含み、前記指定受付ステップは、ユーザの操作により、複数の前記画質処理レベルの中からいずれか一のレベルの指定を受け付け、前記切替ステップは、複数の前記画質処理レベルの中から指定されたレベルであって、前記指定された映像モードと対応する画質処理レベルに切り替えることを特徴とする。
【発明の効果】
【００１０】
本発明によれば、映像モードと画質処理レベルとを対応付けて記憶し、ユーザから指定された映像モードに応じて映像を画質処理するので、ユーザは容易に画質処理レベルの切り替えを行うことができるという効果を奏する。
【図面の簡単な説明】
【００１１】
【図１】本実施の形態にかかる画像表示装置の構成を示すブロック図である。
【図２】図１に示すメイン処理部の構成を示すブロック図である。
【図３】操作部の操作によって表示部にＯＳＤ表示される映像調整に関する画面の例を示す図である。
【図４】図３に示す超解像度調整の具体的な画面の例を示す図である。
【図５】映像モードと超解像レベルの関係の例を示す図である。
【図６】図１に示す高解像度化部の構成を示すブロック図である。
【図７】本実施の形態にかかる超解像度処理を切り替えて行う場合の実行手順を示すフローチャートである。
【発明を実施するための形態】
【００１２】
以下に添付図面を参照して、この発明にかかる画像処理装置および画像処理方法の最良な実施の形態を詳細に説明する。
【００１３】
図１は、本実施形態に係る画像表示装置１００のシステムを概略的に示したブロック図である。同図に示したように、画像表示装置１００は、映像信号入力部１１と、メイン処理部１２と、画像処理装置に対応する高解像度化部１３と、動画改善処理部１４と、表示処理部１５と、表示部１６と、音声処理部１７と、音声出力部１８とを備えている。
【００１４】
映像信号入力部１１は、表示の対象となる映像信号が入力される部位であって、デジタル放送受信部１１１と、ＩＰＴＶ（インターネットプロコトルＴＶ）信号処理部１１２と、インターネット等のＩＰ網を介して送信されるデータを受信するインターネット信号処理部１１３と、アナログ信号の入力を受け付ける外部入力部１１４とを備えている。ここで「映像信号」とは、静止画像や動画像からなる画像信号の他、音声信号をも含む概念である。
【００１５】
デジタル放送受信部１１１は、ＢＳ、ＣＳ、地上波等のデジタル放送を受信するためのデジタルアンテナ１１１１と、デジタル放送を選局するためのデジタルチューナ１１１２と、デジタル放送を復調しデジタルの映像信号としてメイン処理部１２に出力するデジタル信号復調部１１１３とを有している。
【００１６】
ＩＰＴＶ信号処理部１１２は、専用のＩＰ網を介して送信されるＩＰ放送を受信し、デジタルの映像信号としてメイン処理部１２に出力する。
【００１７】
インターネット信号処理部１１３は、インターネット等のＩＰ網を介して送信されるデータ（静止画像や動画像）を受信し、デジタルの映像信号としてメイン処理部１２に出力する。
【００１８】
外部入力部１１４は、アナログ放送を受信するためのアナログアンテナ１１４１と、アナログ放送を選局するためのアナログチューナ１１４２と、アナログ信号にＡ／Ｄ変換等の信号処理を施し、デジタルの映像信号としてメイン処理部１２に出力する外部入力信号処理部１１４３とを有している。なお、外部入力信号処理部１１４３は、ゲーム機やＰＣ（Personal  Computer）、ＤＶＤ（Digital  Versatile  Disk）プレーヤ等の外部機器と接続するための端子を有し（図示せず）、当該入力端子を介して外部機器から入力されるアナログ信号に対しても信号処理を施すものとする。
【００１９】
図２は、メイン処理部１２の機能的構成を示すブロック図である。図２に示すように、メイン処理部１２は、操作受信部１２１と、切替部１２２と、制御部１２３と、フラッシュメモリ１９とを有している。
【００２０】
操作受信部１２１は、後述するように、操作部２００であるリモコンから指定された映像信号を表示部１６に表示する鮮明さを示す映像モードを指定する旨の信号(以下、指定信号と呼ぶ。)を受信し、切替部１２２に出力する。
【００２１】
具体的には、図３に示すように、ユーザは、操作部２００の映像表示の調整に関する設定ボタン等（不図示）を押下することによって、例えば、ホワイトバランス調整に関する色温度の設定、ガンマ補正パラメータ等の各種パラメータと共に、超解像度の強さを示す超解像レベルを調整するための「超解像度調整」メニューを含む詳細調整画面をＯＳＤ（On  Screen  Display）に表示させる。尚、この超解像レベルとは、後述するように、ユーザが複雑な超解像度パラメータを指定しなくても良いように、超解像度変換処理の強さをレベル１〜レベル５というようにランク付けしたものである。
【００２２】
さらに、ＯＳＤ表示された詳細調整画面の「超解像度調整」メニューを選択すると、図４に示すように「超解像レベル調整画面」が表示され、ユーザはさらに上述した設定ボタンを押下する等して映像モードを選択する。ここでは、超解像度処理のメニューとして、「Ａｕｔｏ」「モード１」「モード２」「モード３」「Ｏｆｆ」が設けられている。「Ａｕｔｏ」は、入力された映像信号に応じてモード１〜３のいずれかに自動的に切り替わってもよいし、モード１〜３とは別に、超解像度処理のパラメータ特性を自動可変してもよい。
【００２３】
具体的には、例えば、映像信号の情報量（ビットレート、解像度）やノイズ量などに応じてモード１〜３に切り替わるか、超解像度処理のパラメータを自動可変する。「モード１」は、低圧縮・ハイビットレートでノイズの少ないクリアで綺麗な映像に対する超解像度処理を想定したモードであり、超解像度処理を他のモードに比べて弱めにかける。
【００２４】
そして、「モード３」は、高圧縮・ロービットレートでノイズが比較的ある映像に対する超解像度処理を想定したモードであり、超解像度処理を他のモードに比べて強めにかける。「モード２」は、モード１とモード３の中間（中圧縮・ミドルビットレートであり標準な映像）を想定したモードである。また、「Ｏｆｆ」は、超解像度処理を行わないモードである。従って、Ｏｆｆとその他のモードを切り換えることによって、ユーザは超解像度処理の効果を実感できる。
【００２５】
なお、図４に示すように、映像モードを選択すると、選択した映像モードに応じた超解像レベルを選択するための選択画面が表示される。このようにユーザは、各映像モードに応じた超解像レベルを簡単なボタン操作によって設定することができる。図４では、ユーザは、映像モードとして「モード２」を選択し、さらに超解像レベルを「レベル２」に設定している様子を示している。
【００２６】
なお、映像に対しては人間の嗜好があるため、本実施形態とは逆で超解像度処理を行うように設定することもできる。つまり、「モード１」の場合に、超解像度処理を他のモードに比べて強めにかけ、「モード３」では、他のモードに比べて強めにかけてもよい。
【００２７】
また、映像モードと超解像レベルとの関係は、図５に示すように、それぞれの映像モードに応じて超解像レベルが設定されている。すなわち、映像モードがモード１→モード２→・・と変化するにつれて、超解像レベルも映像信号の高周波成分の出力を増加させるように、超解像レベルと映像モードとが対応付けられている。このように、各映像モードに応じて超解像レベルを設定することによって、ユーザはきめ細やかに超解像レベルを設定することができる。尚、このように対応付けられた映像モードと超解像レベルは、フラッシュメモリ１９などの記録媒体に記憶されている。
【００２８】
図２に戻り、切替部１２２は、デジタル信号復調部１１１３、ＩＰＴＶ信号処理部１１２、インターネット信号処理部１１３、外部入力信号処理部１１４３からの映像信号を受信すると、操作受信部１２１が受信した指定信号に対応する映像モードの種類（例えば、モード２等）と超解像レベル（例えば、レベル２等）を識別して制御部１２３に出力し、その映像モードの種類と超解像レベルをフラッシュメモリ１９に書き込む。
【００２９】
制御部１２３は、映像信号を画像信号と音声信号とに分離し、所定の画像処理を施した画像信号を高解像度化部１３に出力するとともに、音声信号を音声処理部１７に出力する。
【００３０】
ここで、制御部１２３が施す画像処理としては、入力された画像信号の解像度を所定の解像度（例えば、１２８０×７２０等）に変換するスケーリング処理等が挙げられる。
【００３１】
フラッシュメモリ１９は、上述したように、操作受信部１２１が操作部２００から受信した映像モードの種類、及びその種類と超解像レベルを対応付けて記憶する。続いて、高解像度化部１３について説明する。
【００３２】
図６は、図１に示す高解像度化部１３の機能構成を示すブロック図である。図６に示すように、高解像度化部１３は、前処理部１３１と、超解像度変換処理部１３２と、後処理部１３３と、ＥＥＰＲＯＭメモリ２０とを備えている。
【００３３】
前処理部１３１は、メイン処理部１２から入力された画像信号に対し、インターレース・プログレッシブ変換処理や、ノイズを除去するノイズリダクション処理等の画像処理（以下、前処理と呼ぶ。）を施し、処理済みの映像信号を超解像度変換処理部１３２に出力する。また、前処理部１３１は、メイン処理部１２から受信した映像モードの種類と超解像レベルを、後述する超解像度変換処理部１３２に出力する。なお、映像モードの種類と超解像レベルに関する信号は、メイン処理部１２から前処理部１３１を通らずに超解像度処理部１３２に入力されてもよい。
【００３４】
具体的には、前処理部１３１は、インターレース・プログレッシブ変換処理として、入力された画像信号における画像の動きを検出して静止画と動画とを判定し、静止画と判定したときには静止画用の補間処理を行い、動画と判定したときには動画用の補間処理を行う。
【００３５】
また、前処理部１３１は、ノイズリダクション処理として、画像信号における画像の輪郭補整や、画像ボケやギラツキ感の低減、過度なイコライジング（高域強調）を抑える補正、水平方向にカメラが移動する際のブレ改善等の処理を行う。
【００３６】
超解像度変換処理部１３２は、前処理部１３１から入力される低解像度フレームを、高解像度化するための画像処理（以下、「超解像度変換処理」という。）を施して、ＨＤサイズの高解像度の動画データのフレーム（以下、「高解像度フレーム」という。）を生成し、後処理部１３３に出力する。
【００３７】
ここで、超解像度変換処理とは、第１解像度である低解像度の画像信号から本来の画素値を推定して画素を増やすことにより、第２解像度である高解像度の画像信号を復元する鮮鋭化処理を意味する。ここで、本来の画素値とは、例えば、低解像度（第１解像度）の画像信号を得たときと同じ被写体を、高解像度（第２解像度）の画像信号の画素数を持つカメラで撮像したときに得られる画像信号の各画素が持つ値を指す。
【００３８】
また、「推定して画素を増やす」とは、画像の特徴を捕らえて、相関性があるという画像の特徴を利用して周辺（同一フレーム内またはフレーム間）の画像から本来の画素値を推定して画素を増やすことを意味する。なお、超解像度変換処理については、特開２００７−３１０８３７号公報、特開２００８−９８８０３号公報や特開２０００−１８８６８０号公報等に開示された公知・公用の技術を用いることが可能である。本実施の形態の超解像度変換処理の技術としては、例えば、入力画像の標本化周期で決まるナイキスト周波数より高い周波数成分を有する画像を復元する技術を用いる。
【００３９】
例えば、特開２００７−３１０８３７号公報に開示された超解像度変換処理を用いる場合には、複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと、複数の対応点の配置とに基づいて、基準フレームの画素数よりも多い画素数の高解像度フレームであって基準フレームに対応する高解像度フレームの画素値を算出することにより、低解像度の画像信号から本来の画素値を推定して画素を増やすことにより、高解像度の画像信号を復元する。
【００４０】
また、特開２００８−９８８０３号公報に開示された同一フレーム画像内の自己合同位置探索を利用した超解像度変換処理を用いる場合には、中解像度フレームの探索領域の各画素の誤差を比較して最小となる第１の画素位置を算出し、第１の画素位置及びこの第１の誤差、第１の画素の周辺の第２の画素位置及びこの第２の誤差に基づいて、探索領域のなかで誤差が最小となる位置を小数精度で算出する。そして、この位置を終点及び注目画素を始点とする小数精度ベクトルを算出し、小数精度ベクトルを用いて、探索領域に含まれない画面上の画素を終点とする、小数精度ベクトルの外挿ベクトルを算出する。そして、小数精度ベクトル、外挿ベクトル及び画像信号から取得された画素値に基づいて、画像信号に含まれる画素数よりも多い画素数の高解像度画像の画素値を算出する。超解像度変換処理部１３２は、このような処理を行うことにより、低解像度の画像信号から本来の画素値を推定して画素を増やすことにより、高解像度の画像信号を復元する。
【００４１】
また、特開２０００−１８８６８０号公報に開示された複数フレーム画像間でのマッピングを利用した超解像度変換処理を用いることもできる。
【００４２】
ただし、超解像度変換処理部１３２における超解像度変換処理の手法は、上記に限定されるものではなく、低解像度の画像信号から本来の画素値を推定して画素を増やすことにより、高解像度の画像信号を復元する処理であれば、あらゆる手法を適用することができる。
【００４３】
また、超解像度変換処理部１３２は、前処理部１３１がノイズリダクション処理等を行った後の画像信号を受け取ると、映像モードの種類および超解像レベルに応じた超解像度変換処理を行う。具体的には、例えば後述するＥＥＰＲＯＭメモリ２０から映像モードの種類および超解像レベルに対応する超解像度パラメータを超解像度変換処理部１３２が取得する。
【００４４】
ここで、超解像度パラメータとは、超解像度変換処理の強さを数値で表現したものである。例えば、画素間に挿入する高周波成分の画素数、挿入対象となる画素に対する高周波成分の画素の割合が高い、すなわち超解像度パラメータの数値が大きいほど鮮鋭化のゲインが高く、超解像度変換処理が強くなることを示すものであり、超解像度処理の手法に応じて適宜設定することができる。図５に示す超解像度パラメータは、全ての画素に対して超解像度処理を行う場合を１００として、全体の画素数に対して画素間に挿入する高周波成分の画素の割合を示している。このように、超解像度処理を行う指標をパラメータ形式で記憶することによって、超解像度処理の基準に仕様変更が生じた場合であっても、容易にかつ迅速にその仕様変更に対応することができる。
【００４５】
また、超解像度変換処理部１３２は、取得した超解像度パラメータに従って、上述した超解像度処理を行い、超解像度処理を行った画像信号を後述する後処理部１３３に出力する。続いて、後処理部１３３について説明する。
【００４６】
後処理部１３３は、超解像度変換処理部１３２から入力される画像信号に対し、ガンマ補正等やホワイトバランス調整の画像補正処理（以下、後処理と呼ぶ。）を施し、動画改善処理部１４に出力する。続いて、図１に戻り、動画改善処理部１４について説明する。
【００４７】
動画改善処理部１４は、後処理部１３３から受け取った画像信号に対して、倍速処理を行う。具体的には、６０ｆｐｓ（Frame  Per  Second）で送信される映像信号を１２０ｆｐｓにフレームレート変換する処理を行うことにより、横、縦、斜め方向や回転する被写体など動きのある部分の映像ブレを低減し、ノイズも効果的に抑えて、流れるテロップや動きの速いスポーツシーンがくっきりと表示される。そして、フレームレート変換した画像信号を表示処理部１５に出力する。
【００４８】
なお、補間処理としては、特開２００８−３５４０４号公報に記載されたブロックマッチング法による動きベクトル検出に基づいた補間生成処理方法等、一般的に行われているフレーム画像の補間方法に従って補間フレーム画像を生成し、補間することも可能である。さらに、補間フレーム画像の枚数についても任意に定めることができる。
【００４９】
表示処理部１５は、画像信号を表示部１６に出力するためのドライバ等から構成され、動画改善処理部１４から受け取った画像信号を表示部１６に表示させる。また、操作部２００からの指示に応じて、映像表示に関する詳細調整画面をＯＳＤ（On  Screen  Display）に表示させる。
【００５０】
表示部１６は、ＬＣＤ（Liquid  Crystal  Display）、プラズマパネル、ＳＥＤ（Surface-conduction  Electron-emitter  Display）パネル等のディスプレイから構成され、表示処理部１５からの制御を受けた画像信号を画面を表示する。
【００５１】
ＥＥＰＲＯＭメモリ２０は、上述したように、超解像度パラメータを超解像レベルに対応付けて記憶する。
【００５２】
操作部２００は、リモートコントローラ等の遠隔操作装置から構成され、ユーザが映像モードを指定した場合に、その指定信号をメイン処理部１２に送信する。
【００５３】
続いて、上述した画像表示装置１００で行われる実行処理について説明する。
【００５４】
図７は、画像表示装置１００が、ユーザからの映像モードが指定された場合に、その映像モードに応じた超解像レベルの超解像度変換処理を行う場合の処理手順を示すフローチャートである。尚、以下の説明では、発明の理解を容易にするために、最初にユーザから映像モードに指定を受け、その後、最初に指定された映像モードに応じた超解像レベルの超解像度パラメータを取得しているが、各処理の途中であっても割り込み信号によって、適宜映像モードの指定が可能である。
【００５５】
本図に示すように、メイン処理部１２の切替部１２２は、設定された映像モードを識別する（ステップＳ６０１）。
【００５６】
切替部１２２は、取得した映像モードと共に、画像信号を高解像度化部１３に送信して、前処理部１３１は、インターレース・プログレッシブ変換処理やノイズリダクション処理等の画像処理を行い、映像モード及び超解像レベルとともに画像信号を超解像度変換処理部１３２に出力する（ステップＳ６０２）。なお、映像モードの種類と超解像レベルに関する信号は、メイン処理部１２から前処理部１３１を通らずに超解像度処理部１３２に入力されてもよい。
【００５７】
その後、超解像度変換処理部１３２は、映像モード及び超解像レベルに対応する超解像レベルの超解像度パラメータを、ＥＥＰＲＯＭ２０から取得する（ステップＳ６０３）。
【００５８】
そして、超解像度変換処理部１３２は、取得した超解像度パラメータに応じた超解像レベルの超解像度処理を画像信号に対して行う（ステップＳ６０４）。その後、超解像度変換処理部１３２は、超解像度処理を行った画像信号を後処理部１３３に出力し、後処理部１３３は、ガンマ補正やホワイトバランス調整等の補正処理を行い、動画改善処理部１４に出力する（ステップＳ６０５）。以降、表示処理部１５を介して画像信号が表示部１６に表示される。
【００５９】
このように、メイン処理部１２の切替部１２２が、ユーザからの指定された映像モードに応じた超解像レベルの超解像度パラメータを取得して超解像度変換処理を行うので、ユーザは所望の超解像レベルを容易に設定することができる。また、「Ａｕｔｏ」モードを備えているので、最適に自動調整された超解像度処理でユーザは映像を楽しむことが出来る。また、モード１〜３やＯｆｆのように複数のモードを備えているので、映像の種類に応じてユーザの好みの超解像度処理が成された映像を楽しむことが出来る。
【００６０】
上述した実施の形態では、超解像レベルを、映像信号の鮮明さを示す映像モードに応じて対応付けて記憶したが、例えば、映像信号の種類（例えば、ＢＳ放送やＣＳ放送等の提供される映像信号の周波数等）や、番組の種類（例えば、スポーツ番組、映画等）に応じて超解像レベルを設定し、設定した超解像レベルに応じた超解像度パラメータを用いて超解像度変換処理を行うことも可能である。
【００６１】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【００６２】
また、本実施の形態では、本発明の画像処理装置を、表示部１６、表示処理部１５、音声出力部１８および音声処理部１７を有するデジタルＴＶ等の画像表示装置１００に適用した例をあげて説明したが、表示部１６、表示処理部１５、音声出力部１８および音声処理部１７を有さない、例えば、チューナやセットトップボックス等にも本発明の画像処理装置を適用することができる。
【産業上の利用可能性】
【００６３】
以上のように、本発明にかかる画像処理装置、画像処理方法は、映像を高解像度化する際に有用であり、特に、超解像度処理のレベルを切り替える技術に適している。
【符号の説明】
【００６４】
１００    画像表示装置
１１    映像信号入力部
１２    メイン処理部
１３    高解像度化部
１４    動画改善処理部
１５    表示処理部
１６    表示部
１７    音声処理部
１８    音声出力部
１９    フラッシュメモリ
２０    ＥＥＰＲＯＭメモリ
１１１    デジタル放送受信部
１１２    ＩＰＴＶ信号処理部
１１３    インターネット信号処理部
１１４    外部入力部
１２１    操作受信部
１２２    切替部
１２３    制御部
１３１    前処理部
１３２    超解像度変換処理部
１３３    後処理部
２００    操作部（リモート・コントローラ）
１１１１    デジタルアンテナ
１１１２    デジタルチューナ
１１１３    デジタル信号復調部
１１４１    アナログアンテナ
１１４２    アナログチューナ
１１４３    外部入力信号処理部
【図１】
2010074862.tif 000003
【図２】
2010074862.tif 000004
【図３】
2010074862.tif 000005
【図４】
2010074862.tif 000006
【図５】
2010074862.tif 000007
【図６】
2010074862.tif 000008
【図７】
2010074862.tif 000009